(57)【要約】【課題】  レンズを明瞭且つ均一に電飾すること。【解決手段】  表示台板２８には球状のレンズ７１が固定されている。このレンズ７１の後方にはＬＥＤ基板６０が配置されており、ＬＥＤ基板６０には複数のＬＥＤ６４が搭載されている。このＬＥＤ基板６０はスリップリングに連結されたものであり、複数のＬＥＤ６４がスリップリングの回転状態で発光したときにはレンズ７１がフラッシュする電飾が生成される。この構成の場合、レンズ７１の前面にＬＥＤ基板６０の光源配列部７３と同一な円形状の同一形状部７５が設けられ、複数のＬＥＤ６４がＬＥＤ基板６０の光源配列部７３に沿って配列されている。このため、複数のＬＥＤ６４がＬＥＤ基板６０の回転位置に拘らずレンズ７１の同一形状部７５に同一の間隔をおいて後方から対向するようになるので、明瞭な電飾を均一に行うことができる。【選択図】  図３
2006333957.tif 000002
【特許請求の範囲】
【請求項１】
遊技盤に設けられ、電飾部材を保持する台板と、
前記遊技盤に対して垂直な軸を中心に回転可能に設けられたスリップリングと、
前記スリップリングを前記軸を中心に回転操作する駆動機構と、
前記スリップリングと共に回転可能に設けられ、前記電飾部材の後方に配置された基板と、
前記基板に搭載され、前記電飾部材を後方から照明する複数の光源と、
前記スリップリングから前記基板を通して前記複数の光源に電源を供給する滑り接点とを備え、
前記基板の前面のうち前記電飾部材の後面に対向する部分には、前記複数の光源が配列された光源配列部が設けられ、
前記電飾部材の後面のうち前記基板の光源配列部が対向する部分には、全周が前記光源配列部と同一形状をなす同一形状部が設けられていることを特徴とする遊技機。
【発明の詳細な説明】
【技術分野】
【０００１】
本発明は、電飾部材および電飾部材を後方から照明する複数の光源を備えた遊技機に関する。
【背景技術】
【０００２】
上記遊技機には、複数の光源を鉛直方向に一列に配列し、複数の光源を鉛直な回転軸を中心に回転操作しながら点滅させることに基いて前方の電飾部材を照明する構成のものがある。
【特許文献１】特開２００４−１０５２９９号公報
【発明の開示】
【発明が解決しようとする課題】
【０００３】
上記従来構成の場合、複数の光源が電飾部材の反対側に移動したときには電飾部材と同一側に移動したときに比べて両者の距離が大幅に長くなる。このため、複数の光源から投射された光が拡散することに基いて電飾部材に映る光の輪郭がぼやけるので、明瞭な電飾を均一に行うことができない。ところで、図柄表示器を保持する台板等のセンター役物に電飾部材を装着し、センター役物の電飾部材を後方から複数の光源によって照明するときには複数の光源が鉛直な回転軸を中心に回転することを許容するためのスペースを前後方向に大きく確保する必要がある。この場合には遊技盤の後方に設置された多数の電気部品が邪魔になるので、電気部品の搭載スペースを削って複数の光源の回転スペースを確保する必要がある。
【０００４】
本発明は上記事情に鑑みてなされたものであり、その目的は、遊技盤の後方に設けられた電気部品の搭載スペースを削ることなく明瞭な電飾を均一に行うことができる遊技機を提供することにある。
【課題を解決するための手段】
【０００５】
本発明は１）台板〜６）滑り接点を備え、基板に７）光源配列部が設けられ、電飾部材に８）同一形状部が設けられているところに特徴を有している。
１）台板は遊技盤に設けられたものであり、電飾部材を保持するものである。図３の表示台板２８は台板に相当するものであり、表示台板２８に保持されたレンズ７１は電飾部材に相当する。
２）スリップリングは遊技盤に対して垂直な軸を中心に回転可能に設けられたものである。図４の符号４８はスリップリングを示すものであり、スリップリング４８は遊技盤に対して垂直な軸ＣＬを中心に回転可能にされている。
３）駆動機構はスリップリングを水平な軸を中心に回転操作するものである。図３の符号５８は駆動機構を示すものであり、駆動機構５８はモータの回転力を歯車を通してスリップリングに伝達する。
４）基板はスリップリングと共に回転可能に設けられたものであり、電飾部材の後方に配置されたものである。図３のＬＥＤ基板６０は基板に相当するものである。
５）複数の光源は電飾部材を後方から照明するものであり、基板に搭載されている。図３のＬＥＤ６４は光源の一例を示している。
６）滑り接点はスリップリングから基板を通して複数の光源に電源を供給するものである。図４の符号７０は滑り接点を示している。
７）光源配列部は基板の前面のうち電飾部材に対向する部分に設けられたものであり、複数の光源が配列された部分を称する。図３のＬＥＤ基板６０の前面は上下端部を除く残余部分が光源配列部７３にされており、複数のＬＥＤ６４は、図４に示すように、ＬＥＤ基板６０の光源配列部７３に沿う円形軌跡Ｌ上に配列されている。
８）同一形状部は電飾部材の後面のうち基板の光源配列部が対向する部分に設けられたものであり、全周が基板の光源配列部と同一形状をなす部分を称する。図３の符号７５は同一形状部の一例を示すものであり、同一形状部７５はＬＥＤ基板６０が回転したときにＬＥＤ基板６０の光源配列部７３が対向する部分の全周に設けられている。
【発明の効果】
【０００６】
電飾部材の後面に基板の光源配列部と同一形状をなす同一形状部が設けられているので、基板の光源配列部が回転位置に拘らず電飾部材の同一形状部に同一の間隔をおいて対向するようになる。この基板の光源配列部に沿って複数の光源が配列されているので、複数の光源が基板の回転位置に拘らず電飾部材の同一形状部に同一の間隔をおいて後方から対向するようになる。このため、複数の光源が基板の回転位置に拘らず電飾部材の同一形状部に最接近した同一状態になるので、明瞭な電飾を均一に行うことができる。しかも、スリップリングが遊技盤に対して垂直な軸を中心に回転可能に設けられており、基板が複数の光源と共に遊技盤に対して垂直な軸を中心に回転する。このため、複数の光源および基板が回転することを許容する前後方向に大きなスペースが不要になるので、遊技盤の後方に設けられた電気部品の搭載スペースを削って複数の光源等のスペースを確保する必要がなくなる。
【発明を実施するための最良の形態】
【０００７】
【実施例１】
【０００８】
パチンコホールの台島には、図１に示すように、外枠１が設置されている。この外枠１は前後面が開口する四角筒状をなすものであり、外枠１の前端面には前枠２が左側辺部の垂直な軸を中心に回動可能に装着されている。この前枠２の前面には下端部に位置して横長な長方形状の下皿板３が固定されており、下皿板３の前面には上面が開口する下皿４が固定されている。この下皿板３の上方には上皿板５が配置されている。この上皿板５は前枠２に装着されたものであり、上皿板５の前面には上面が開口する上皿６が固定されている。
【０００９】
下皿板３の前面には右端部に位置してハンドル台７が固定されており、ハンドル台７には発射ハンドル８が回動可能に装着されている。この発射ハンドル８の後方には発射モータ９が固定されており、発射モータ９の回転軸には打球槌１０が連結されている。この発射モータ９は打球槌１０の駆動源に相当するものであり、発射ハンドル８が回動操作されたときには発射モータ９に駆動電源が与えられ、打球槌１０が駆動することに基づいて上皿６内の遊技球を上皿６内から弾き出す。
【００１０】
前枠２の前面には窓枠１１が装着されている。この窓枠１１は円形孔状の窓部１２を有するものであり、窓部１２の内周面には透明なガラス窓１３が固定されている。この窓枠１１の後面には左上隅部および右上隅部に位置してスピーカ１４が固定されており、各スピーカ１４の前方には網状のスピーカカバー１５が配置されている。これら各スピーカカバー１５は窓枠１１に固定されたものであり、各スピーカ１４が再生する遊技音は前方のスピーカカバー１５を通して放出される。窓枠１１には両スピーカ１４間に位置してランプカバー１６が固定されており、ランプカバー１６の後方には複数の電飾ＬＥＤ１７が配置されている。これら各電飾ＬＥＤ１７は窓枠１１に固定されたものであり、ランプカバー１６は電飾ＬＥＤ１７が発光することに基いて後方から照明される。
【００１１】
前枠２には、図２に示すように、遊技盤１８が装着されており、遊技盤１８は窓枠１１のガラス窓１３により前方から覆われている。この遊技盤１８の前面には外レール１９および内レール２０が固定されており、外レール１９の右端部と内レール２０の右端部との間にはゴム製の球止め２３が固定されている。これら外レール１９および内レール２０間には左側部に位置して発射通路２１が形成されており、打球槌１０が弾いた遊技球は発射通路２１を通して遊技領域２２内に放出される。この遊技領域２２内には複数の障害釘が打込まれており、遊技領域２２内に放出された遊技球は障害釘に当りながら遊技領域２２内を落下する。この遊技領域２２は外レール１９および内レール２０によって囲まれた円形領域（発射通路２１の残余領域）を称するものであり、遊技球が転動可能な最大範囲である転動領域に相当する。
【００１２】
遊技領域２２内には大入賞口台板２４が固定されており、大入賞口台板２４には前面が開口する四角筒状の大入賞口２５が固定されている。この大入賞口台板２４には扉２６が下端部の水平な軸２７を中心に回動可能に装着されている。この扉２７は大入賞口ソレノイドのプランジャに連結されており、大入賞口ソレノイドは扉２６を垂直状態に回動操作することに基づいて大入賞口２５の前面を遊技球が入賞不能に閉鎖し、扉２６を前方へ倒れた水平状態に回動操作することに基づいて大入賞口２５の前面を遊技球が入賞可能に開放する。
【００１３】
遊技領域２２内には表示台板２８が固定されている。この表示台板２８は台板およびセンター役物に相当するものであり、遊技盤１８の前面から突出している。この表示台板２８には図柄表示器２９が固定されている。この図柄表示器２９はカラー液晶表示器から構成されたものであり、図柄表示器２９には識別図柄が表示される。この識別図柄は左列の数字図柄と中列の数字図柄と右列の数字図柄の組合せ図柄を称するものであり、遊技者には識別図柄の３列の組合せに応じて大当りおよび外れが報知される。
【００１４】
遊技領域２２内には始動口３０が固定されている。この始動口３０は上面が開口するポケット状をなすものであり、遊技領域２２内を転動する遊技球は始動口３０内に上面から入賞可能にされている。この始動口３０は図柄遊技を開始するスタート口として機能するものであり、遊技球が始動口３０内に入賞したときには図柄遊技が開始される。この図柄遊技は図柄表示器２９に識別図柄を可変状態および可変停止状態で順に表示するものであり、識別図柄が大当りの組合せで停止表示されたときには大当り遊技が開始される。この大当りの組合せとは各列の数字図柄が同一な組合せを称するものであり、大当り以外の組合せを外れの組合せと称する。
【００１５】
大当り遊技は大入賞口２５を開放し、大入賞口２５内に遊技球が入賞することを許容する遊技者有利の状態を発生させるものであり、大入賞口２５は上限個（１０個）の遊技球が入賞する個数条件または開放時間が上限値（３０ｓｅｃ）に達する時間条件が満足されるまで開放状態に保持される。この大入賞口２５の個数条件および時間条件を基準とする開閉動作は大当りラウンドと称されるものであり、大当りラウンドは固定的な設定回数（１５回）だけ繰返される。この大当りラウンドの繰返しを大当り遊技と称する。
【００１６】
表示台板２８には、図２に示すように、電飾装置に相当するフラッシュ装置４０が固定されている。以下、フラッシュ装置４０について説明する。
表示台板２８には、図３に示すように、前面が開口するカバー４１が固定されている。このカバー４１はフラッシュ装置４０のベースとして機能するものであり、カバー４１内にはステッピングモータからなる役物モータ４２が固定されている。この役物モータ４２にはコネクタ４３が接続されており、コネクタ４３には対のコネクタが接続されている。この対のコネクタはモータ駆動回路を介して電飾制御回路に接続されている。この電飾制御回路はマイクロコンピュータを主体に構成されたものであり、モータ駆動回路からコネクタ４３を通して役物モータ４２にパルス信号を与えることに基いて役物モータ４２を駆動する。この役物モータ４２は前後方向へ延びる回転軸４４を有するものであり、回転軸４４には主動ギア４５が回転不能に連結されている。この役物モータ４２は駆動源に相当するものである。
【００１７】
カバー４１内には役物モータ４２の上方に位置してブラケット４６が固定されている。このブラケット４６は、図４に示すように、前後方向へ延びる円筒状をなすものであり、ブラケット４６の内周面には前端部および後端部に位置して軸受４７の外輪が固定されている。これら両軸受４７の内輪の内周面にはスリップリング４８が固定されている。このスリップリング４８は前後方向へ延びる円筒状をなすものであり、ブラケット４６に前後方向へ延びる軸心線ＣＬを中心に回転可能に装着されている。
【００１８】
スリップリング４８は前リング部４９と給電リング部５０とグランドリング部５１とラッチ信号リング部５２とクロック信号リング部５３とデータ信号リング部５４と後リング部５５を有している。前リング部４９および後リング部５５は非導電材からなるものであり、前リング部４９は前方の軸受４７の内輪に固定され、後リング部５５は後方の軸受４７の内輪に固定されている。給電リング部５０とグランドリング部５１とラッチ信号リング部５２とクロック信号リング部５３とデータ信号リング部５４は導電材からなるものであり、相互に電気的な絶縁状態で連結されている。
【００１９】
スリップリング４８の内周面には円筒状の回転軸５６が固定されており、回転軸５６の外周面には従動ギア５７が固定されている。この従動ギア５７は主動ギア４５に噛合されたものであり、役物モータ４２が駆動したときには主動ギア４５から従動ギア５７に回転力が伝達されることに基いて回転軸５６およびスリップリング４８が一体的に回転する。これら役物モータ４２と主動ギア４５と従動ギア５７はスリップリング４８を回転操作する駆動機構５８を構成するものである。
【００２０】
従動ギア５７の前面には、図４に示すように、Ｌ字状をなす２個の基板サポート５９が固定されており、両基板サポート５９にはＬＥＤ基板６０がネジ止めされている。このＬＥＤ基板６０は基板に相当するものであり、役物モータ４２が駆動することに基いてスリップリング４８と一体的に軸心線ＣＬを中心に回転する。このＬＥＤ基板６０は半円形状をなすものであり、ＬＥＤ基板６０の中心点はスリップリング４８の軸心線ＣＬ上に配置されている。このＬＥＤ基板６０には切欠部６１が形成されており、切欠部６１内には突部６２が挿入されている。この突部６２は従動ギア５７に形成されたものであり、円環状をなしている。
【００２１】
ＬＥＤ基板６０の一面にはＬＥＤ駆動回路６３および複数のＬＥＤ６４が搭載されており、複数のＬＥＤ６４はＬＥＤ基板６０の配線パターンを介してＬＥＤ駆動回路６３に接続されている。複数のＬＥＤ６４はＬＥＤ基板６０の前面のうち上下端部を除く残余部分に配列されたものであり、ＬＥＤ基板６０の残余部分は光源配列部７３に相当する。これら複数のＬＥＤ６４はＬＥＤ基板６０の前面と同心な共通の円形軌跡Ｌ上に並ぶものであり、ＬＥＤ基板６０の前面から同一量Ｗ１だけ突出している。ＬＥＤ駆動回路６３はシフトレジスタを主体に構成されたものであり、複数のＬＥＤ６４をシリアルデータ信号に応じたパターンおよびシリアルクロック信号に応じたタイミングで発光制御する。このＬＥＤ６４は光源に相当するものである。
【００２２】
ＬＥＤ基板６０には複数のリード線が接続されている。これら複数のリード線はＬＥＤ基板６０の切欠部６１から従動ギア５７の突部６２を通して回転軸５６の内部に挿入され、スリップリング４８の内部で給電リング部５０とグランドリング部５１とラッチ信号リング部５２とクロック信号リング部５３とデータ信号リング部５４に接続されている。
【００２３】
ブラケット４６内には給電ブラシ６５とグランドブラシ６６とラッチ信号ブラシ６７とクロック信号ブラシ６８とデータ信号ブラシ６９が固定されており、スリップリング４８の静止状態で給電ブラシ６５はスリップリング４８の給電リング部５０に接触し、グランドブラシ６６はグランドリング部５１に接触し、ラッチ信号ブラシ６７はラッチ信号リング部５２に接触し、クロック信号ブラシ６８はクロック信号リング部５３に接触し、データ信号ブラシ６９はデータ信号リング部５４に接触している。これら給電ブラシ６５〜データ信号ブラシ６９は導電性の金属片からなるものであり、スリップリング４８の回転状態でも給電リング部５０〜データ信号リング部５４に滑りをもって接触する。これら給電ブラシ６５〜データ信号ブラシ６９は滑り接点７０を構成するものである。
【００２４】
表示台板２８には、図３に示すように、ＬＥＤ基板６０の前方に位置して有色透明なレンズ７１が固定されている。このレンズ７１は半球状をなすものであり、レンズ７１の中心点はＬＥＤ基板６０の中心点と同一に設定されている。このレンズ７１の後面は円形状をなすものであり、レンズ７１の後面のうちＬＥＤ基板６０が回転したときにＬＥＤ基板６０の光源配列部７３が対向する部分は全周が光源配列部７５と同一形状をなす同一形状部７５に設定されている。即ち、ＬＥＤ基板６０の回転状態でＬＥＤ基板６０の光源配列部７３は回転位置に拘らずレンズ７１の同一形状部７５に一定の間隔Ｗ２をおいて後方から対向し、各ＬＥＤ６４の先端はＬＥＤ基板６０の回転位置に拘らずレンズ７１の同一形状部７５に一定の間隔Ｗ３をおいて後方から対向する。このレンズ７１は電飾部材に相当するものである。
【００２５】
ブラケット４６にはコネクタ７２が固定されており、給電ブラシ６５とグランドブラシ６６とラッチ信号ブラシ６７とクロック信号ブラシ６８とデータ信号ブラシ６９はコネクタ７２に電気的に接続されている。このコネクタ７２には対のコネクタが接続されている。この対のコネクタは電飾制御回路に接続されており、電飾制御回路は役物モータ４２の駆動状態でコネクタ７２から給電ブラシ６５および給電リング部５０を通してＬＥＤ基板６０に電源を与え、ラッチ信号ブラシ６７およびラッチ信号リング部５２を通してデータラッチ信号を与え、クロック信号ブラシ６８およびクロック信号リング部５３を通してシリアルクロック信号を与え、データ信号ブラシ６９およびデータ信号リング部５４を通してシリアルデータ信号を与え、複数のＬＥＤ６４を発光制御する。これら複数のＬＥＤ６４が役物モータ４２の駆動状態で発光制御されたときには複数の点滅光がレンズ７１に対して回転し、レンズ７１がフラッシュする電飾が生成される。
【００２６】
上記実施例１によれば次の効果を奏する。
レンズ７１の後面のうちＬＥＤ基板６０の光源配列部７３に対向する部分に光源配列部７３と同一な円形状の同一形状部７５を設けたので、ＬＥＤ基板６０の光源配列部７３が回転位置に拘らずレンズ７１の同一形状部７５に同一の間隔Ｗ２をおいて後方から対向するようになる。このＬＥＤ基板６０の光源配列部７３に沿う円形軌跡Ｌ上に複数のＬＥＤ６４を配列したので、複数のＬＥＤ６４がＬＥＤ基板６０の回転位置に拘らずレンズ７１の同一形状部７５に同一の間隔Ｗ３をおいて後方から対向するようになる。従って、複数のＬＥＤ６４がＬＥＤ基板６０の回転位置に拘らずレンズ７１の同一形状部７５に最接近する同一状態になるので、明瞭な電飾を均一に行うことができる。
【００２７】
スリップリング４８を遊技盤１８に対して垂直な軸心線ＣＬを中心に回転可能に設け、ＬＥＤ基板６０を複数のＬＥＤ６４と共に遊技盤１８に対して垂直な軸心線ＣＬを中心に回転させた。このため、複数のＬＥＤ６４およびＬＥＤ基板６０が回転することを許容する前後方向に大きなスペースが不要になるので、遊技盤１８の後方に設けられた電飾制御回路等の搭載スペースを削ってスペースを確保する必要がなくなる。
【実施例２】
【００２８】
ＬＥＤ基板６０の前面には、図５に示すように、レンズ７１の後面に対向する部分に位置して異形状部７４が形成されている。この異形状部７４はＬＥＤ基板６０の前面を上方の光源配列部７３および下方の光源配列部７３に分割するものであり、複数のＬＥＤ６４は上方の光源配列部７３および下方の光源配列部７３の夫々に沿って配列されている。
【００２９】
上記実施例２によれば、ＬＥＤ基板６０の前面に２つの光源配列部７３を設け、複数のＬＥＤ６４を両光源配列部７３の夫々に沿って配列した。このため、複数のＬＥＤ６４がＬＥＤ基板６０の回転位置に拘らずレンズ７１の同一形状部７５に最接近する同一状態になるので、明瞭な電飾を均一に行うことができる。
【実施例３】
【００３０】
表示台板２８には、図６に示すように、レンズ７１が固定されている。このレンズ７１は三角錐状をなすものであり、レンズ７１の後方には三角形状のＬＥＤ基板６０が配置されている。このＬＥＤ基板６０は従動ギア５７に２枚の基板サポート５９を介して固定されたものであり、複数のＬＥＤ６４はＬＥＤ基板６０の前面のうちレンズ７１の後面に対向する部分の全域に配列され、ＬＥＤ基板６０の前面にはレンズ７１の後面に対向する部分の全域に位置して光源配列部７３が設けられている。このレンズ７１の後面のうち光源配列部７３に対向する部分は全周がレンズ７１の後面と同一な三角形状をなすものであり、レンズ７１の後面のうち光源配列部７３に対向する全ての部分は同一形状部７５に設定されている。
【００３１】
上記実施例３によれば、レンズ７１の後面にＬＥＤ基板６０の光源配列部７３と同一な三角形状の同一形状部７５を設け、複数のＬＥＤ６４をＬＥＤ基板６０の光源配列部７３に沿って配列した。このため、複数のＬＥＤ６４がＬＥＤ基板６０の回転位置に拘らずレンズ７１の同一形状部７５に最接近する同一状態になるので、明瞭な電飾を均一に行うことができる。
【図面の簡単な説明】
【００３２】
【図１】実施例１を示す図（ａは遊技機の全体構成を示す前面図、ｂは側面図）
【図２】遊技盤を示す前面図
【図３】フラッシュ装置を示す図（図２のＸ線に沿う断面図）
【図４】フラッシュ装置を示す図（ａはブラケットの内部構成を示す断面図、ｂはＸｂ視図）
【図５】実施例２を示す図３相当図
【図６】実施例３を示す図３相当図
【符号の説明】
【００３３】
１８は遊技盤、２８は表示台板、４８はスリップリング、５８は駆動機構、６０はＬＥＤ基板、６４はＬＥＤ、７０は滑り接点、７１はレンズ、７３は光源配列部、７５は同一形状部を示す。
【図１】
2006333957.tif 000003
【図２】
2006333957.tif 000004
【図３】
2006333957.tif 000005
【図４】
2006333957.tif 000006
【図５】
2006333957.tif 000007
【図６】
2006333957.tif 000008